(57)【要約】      （修正有）【課題】多種の書類等を区分して保持することができ、容易に使用できるクリアファイルを提供する。【解決手段】１の外面シート１１と、複数の内面シート２１〜２３とを備え、複数の内面シート２１〜２３は、（１）矩形状の外面シート１１の下辺及び左辺又は右辺の２辺において外面シート１１と接合され、他の箇所は外面シート１１と分離し、（２）下辺から上辺側に伸びる高さの相違する複数のシートである。内面シート２１〜２３の数が２又は３であれば、展開図の状態に切断された１枚のシートからクリアファイル１を作成することができる。【選択図】図２
0003216876.tif 000002
【実用新案登録請求の範囲】
【請求項１】
１の外面シートと、複数の内面シートとを備え、
前記の複数の内面シートは、（１）矩形状の前記外面シートの下辺と左辺又は右辺との２辺において前記外面シートと接合され、他の箇所は前記外面シートと分離し、（２）下辺から上辺側に伸びる高さの相違する複数のシートであることを特徴とする、クリアファイル。
【請求項２】
前記内面シートの数が２又は３であることを特徴とする、請求項１に記載のクリアファイル。
【請求項３】
左右方向に２つ折りされる外面シートと、複数の内面シートとを備え、
２つ折りされた前記外面シートの片側と前記複数の内面シートの一部とによって請求項１又は２に記載のクリアファイルが構成され、
２つ折りされた前記外面シートの他側と前記複数の内面シートの別の一部とによっても請求項１又は２に記載のクリアファイルが構成され、
前記複数の内面シートは、前記外面シートの２つ折りを広げた状態における外辺において前記外面シートと接合されることを特徴とする、クリアファイル。
【考案の詳細な説明】
【技術分野】
【０００１】
本考案は、書類等を保持するためのクリアファイルに関する。
【背景技術】
【０００２】
書類等を保持するためのクリアファイルが知られている。しかし、書類等を保持する空間が１つのみであるため、多種の書類等を区分して保持することができない。
【０００３】
この点、２つ折りした本体のそれぞれの面に書類等を保持する空間を設けたもの（ダブルクリアファイル、図１（Ａ）参照）があった。しかし、書類等を保持する空間が２つのみであり３つ以上にできず、書類等の区分が限定されていた。
【０００４】
また、書類等を抑える部材にスリットを設けたもの（図１（Ｂ）参照）があった。しかし、スリットを介しての書類等の出し入れが容易ではなく、不便であった。
【０００５】
この点、特許文献１には、中袋付きクリアファイルが開示されている。しかし、中袋で分けられた空間に書類等を区分けして出し入れすることは、必ずしも容易でない。
【０００６】
また、特許文献２には、仕切りシートを用いた見出し付きクリアファイルが開示されている。しかし、仕切りシートで仕切られた空間の奥の部分は仕切りシートのない１の空間であり、書類等の出し入れの時（特に入れる時）に書類等が干渉してしまい、必ずしも容易に使用できるものではない。
【先行技術文献】
【特許文献】
【０００７】
【特許文献１】実用新案登録３１５１４５７号公報
【特許文献２】実用新案登録３１６９９５８号公報
【考案の概要】
【考案が解決しようとする課題】
【０００８】
本考案は、多種の書類等を区分して保持することができ、容易に使用できるクリアファイルを提供することを課題とする。
【課題を解決するための手段】
【０００９】
本考案のクリアファイルは、
１の外面シートと、複数の内面シートとを備え、
前記の複数の内面シートは、（１）矩形状の前記外面シートの下辺と左辺又は右辺との２辺において前記外面シートと接合され、他の箇所は前記外面シートと分離し、（２）下辺から上辺側に伸びる高さの相違する複数のシートであることを特徴とする。
【００１０】
この特徴によれば、内面シートの数だけの書類等を保持する空間を独立して（互いに分離して）備えたクリアファイルとなる。また、内面シートの外面シートと分離した箇所を利用した書類等の出し入れが容易に行える。
【００１１】
本考案のクリアファイルは、
前記内面シートの数が２又は３であることを特徴とする。
【００１２】
この特徴によれば、後述するように、展開図の状態に切断された１枚のシートからクリアファイルを作成することができる。
【００１３】
本考案のクリアファイルは、
左右方向に２つ折りされる外面シートと、複数の内面シートとを備え、
２つ折りされた前記外面シートの片側と前記複数の内面シートの一部とによって請求項１又は２に記載のクリアファイルが構成され、
２つ折りされた前記外面シートの他側と前記複数の内面シートの別の一部とによっても請求項１又は２に記載のクリアファイルが構成され、
前記複数の内面シートは、前記外面シートの２つ折りを広げた状態における外辺において前記外面シートと接合されることを特徴とする。
【００１４】
この特徴によれば、２つ折りされる外面シートの両側に、書類等を保持する空間を独立して備え、書類等の出し入れが容易に行えるクリアファイルとなる。
【考案の効果】
【００１５】
本考案によれば、多種の書類等を区分して保持することができ、容易に使用できるクリアファイルを提供することができる。
【図面の簡単な説明】
【００１６】
【図１】図１は、従来のクリアファイルを示す図である。
【図２】図２は、本考案のクリアファイルを示す図である。
【図３】図３は、本考案のクリアファイルを示す断面図である。
【図４】図４は、本考案のクリアファイルを示す展開図である。
【図５】図５は、本考案のクリアファイルを示す展開図である。
【図６】図６は、本考案のクリアファイルの別デザインを示す図である。
【考案を実施するための形態】
【００１７】
以下、本考案の実施例について説明する。
【実施例１】
【００１８】
図２は、本考案のクリアファイルを示す図である。クリアファイル１は、外面シート１１  と３枚の内面シート２１、２２、２３とから構成されている。外面シート１１、内面シート２１、内面シート２２、内面シート２３は、この順に重ねられている（外面シート１１が図面最奥、内面シート２３が図面最手前）。
【００１９】
外面シート１１と３枚の内面シート２１、２２、２３は、接合部３１、３２、３３において、熱圧着され、接合されている。なお、熱圧着以外の方法で接合してもよい。
【００２０】
また、接合部３３については、書類等が抜け落ちないようにするためのものであり、必ずしも設けなくともよい。
【００２１】
以上、図の右側を説明したが、左側はそれと対称に同様に構成されている。外面シート１１は、中央において２つ折りすることができる。
【００２２】
図３は、本考案のクリアファイルを示す断面図である。図２におけるＡ−Ａ線の断面を示したものである。図は、外面シート１１及び３枚の内面シート２１、２２、２３のシート間の幅を大きく描いている。
【００２３】
外面シート１１と内面シート２１との間に空間４１が、内面シート２１と内面シート２２との間に空間４２が、内面シート２２と内面シート２３との間に空間４３が、それぞれ構成される。これら３つの空間は、独立して（互いに分離して）いる。
【００２４】
すなわち、例えば空間４２に書類等を差し込む時に、空間４１や空間４３に書類等が既に差し込まれていたとしても、それらの書類等によって移動を妨げられることがなく、スムーズに差し込むことができる。書類等を抜き取る時も同様である。また、空間４１、４３に書類等を差し込む時、書類等を抜き取る時も同様である。
【００２５】
また、３枚の内面シート２１、２２、２３の高さ（図２における上下方向の長さ）が相違するので、空間４１、４２、４３に書類等を差し込む時、書類等を抜き取る時に邪魔となる内面シートを移動させる必要がなく、書類等の差し込み、抜き取りをスムーズに行うことができる。
【００２６】
以上詳細に説明したように、本実施例のクリアファイルは、図２の左右両側で６種の書類等を区分して保持することができ、書類等の差し込み、抜き取りをスムーズに行うことができて容易に使用できるものである。
【００２７】
なお、内面シートを片側３枚（両側で６枚）として説明したが、片側で２枚以上の任意の枚数であってよい。例えば、１０種の書類等の区分するために片側で５枚の内面シートとしてもよい。
【００２８】
また、図２における左側又は右側の片側のみの構成としてもよい。
【実施例２】
【００２９】
本考案のクリアファイルの製造方法について説明する。
【００３０】
クリアファイルの製造方法は、
矩形状の外面シート（１１）と、前記外面シートに下辺あるいは左辺又は右辺のいずれかで接する第１の内面シート（２１）と、前記第１の内面シートに下辺あるいは左辺又は右辺のいずれかで接する第２の内面シート（２２）と、前記第２の内面シートに下辺あるいは左辺又は右辺のいずれかで接する第３の内面シート（２３）とを、１枚のシートとして作成し、
その１枚のシートを折畳んだ後で、前記外面シートの下辺及び左辺又は右辺において４枚のシートを接合させることを特徴とする。
【００３１】
ここで、接合は熱圧着等の任意の方法で行うことができる。
【００３２】
また、第３の内面シート２３は、必ずしも設けなくともよい。
【００３３】
図４は、本考案のクリアファイルを示す展開図である。１枚のシートとして作成されている。
【００３４】
図において破線の箇所を谷折り、１点鎖線の箇所を山折りすると、図２の形状になる。
【００３５】
その後、下辺の接合部３１及び右辺及び左辺の接合部３２を熱圧着等で接合する。また、上辺の接合部３３を合わせて熱圧着等で接合してもよい。
【００３６】
以上により、実施例１に示したクリアファイルが製造される。
【００３７】
図５は、本考案のクリアファイルを示す別の展開図である。図４と同様に１枚のシートとして作成されている。
【００３８】
以上詳細に説明したように、本実施例のクリアファイルの製造方法は、１枚のシートを折畳んで接合することで、容易にかつ低コストで実施例１のクリアファイルを製造することができる。
【００３９】
なお、内面シートは、片側で３枚に限らず、２枚としてもよい。ただし、４枚以上にすると１枚のシートとなる展開図がなく、製造手順が複雑になるので、２枚又は３枚とすることが好ましい。
【実施例３】
【００４０】
本考案のクリアファイルのデザインの多様性について説明する。
【００４１】
図６は、本考案のクリアファイルの別デザインを示す図である。内面シート２１、２２、２３は、接合部３１、３２、３３において直線状である点を除き、形状を自由に設計できる。図に示すように、左右合わせて６枚の内面シート２１、２２、２３をそれぞれ独自の形状とすることもできる。
【００４２】
このように、多様なデザインが可能であり、本考案のクリアファイルは各種の場面における利用が考えられる。
【産業上の利用可能性】
【００４３】
多種の書類等を区分して保持することができ、容易に使用できるクリアファイルである。資料配布における利用、オフィスにおける利用、その他多くの場面における利用が考えられる。
【符号の説明】
【００４４】
１      クリアファイル
１１    外面シート
２１    内面シート
２２    内面シート
２３    内面シート
３１    接合部
３２    接合部
３３    接合部
４１    空間
４２    空間
４３    空間
【図１】
0003216876.tif 000003
【図２】
0003216876.tif 000004
【図３】
0003216876.tif 000005
【図４】
0003216876.tif 000006
【図５】
0003216876.tif 000007
【図６】
0003216876.tif 000008